(57)【要約】【課題】携帯電話等の移動体通信と非接触通信とを同時に行えるようにした携帯端末装置を提供する。【解決手段】携帯端末装置１は、携帯電話等の移動体通信を行う携帯電話部１１と、非接触通信を行う非接触通信部１５とを備える。携帯電話部１１の送信制御部１４２には、送信部１３２の送信出力レベルを可変させる送信レベル制御部１４３を備えている。携帯電話部１１によって通話またはデータ通信を行っている状態で、非接触通信部１５によって非接触通信を行う期間では、送信出力レベル制御部１４３によって携帯電話部１１の送信出力を所定レベルだけ低下させる。これにより、携帯電話の送信信号と非接触通信の通信信号との相互干渉を低減し、携帯電話による通話またはデータ通信と非接触通信とを同時に行えるようにする。【選択図】  図１
2004282485.tif 000002
【特許請求の範囲】
【請求項１】
移動体通信を行う移動体通信部と、近距離の非接触通信を行う非接触通信部とを有する携帯端末装置であって、
前記非接触通信部により非接触通信を行う際に、前記移動体通信部の送信出力を制御する送信出力制御部を備える携帯端末装置。
【請求項２】
請求項１記載の携帯端末装置であって、
前記送信出力制御部は、前記非接触通信部により非接触通信を行う際に前記移動体通信部の送信出力レベルを低減させる送信出力レベル制御部を備える携帯端末装置。
【請求項３】
請求項１記載の携帯端末装置であって、
前記送信出力制御部は、前記非接触通信部により非接触通信を行う際に前記移動体通信部の送信を停止させる送信停止制御部を備える携帯端末装置。
【発明の詳細な説明】
【０００１】
【発明の属する技術分野】
本発明は、非接触通信システムに対応した携帯電話機等の携帯可能な携帯端末装置に関する。
【０００２】
【従来の技術】
近年、携帯電話機等の携帯可能な通信機器の普及、及び非接触で近距離通信を行うＢｌｕｅｔｏｏｔｈやＩＣタグ、赤外線通信（ＩｒＤＡなど）等の非接触通信システムの普及に伴い、非接触通信システムに対応した携帯端末装置が市場から要求されている。非接触通信システムに対応した携帯端末装置として、例えば、非接触ＩＣカード、非接触ＩＣタグを備えた携帯電話機、非接触式のデータ授受機能を備えた無線機能付端末装置などが提案されている（例えば、特許文献１〜４参照）。
【０００３】
図３は従来の携帯端末装置の構成の一例を示す図である。この従来例の携帯端末装置５０は、携帯電話部５１と非接触通信部５５とを有して構成されている。携帯電話部５１は、携帯電話用アンテナ５２と、受信部５３１及び送信部５３２を含む無線部５３と、受信制御部５４１及び送信制御部５４２を含む携帯電話制御部５４と、図示しない通話部、表示部、操作部等を備えている。非接触通信部５５は、非接触通信用アンテナ５６と、インピーダンス整合部５７と、受信検出部５８１及び起動制御部５８２を含む非接触通信制御部５８とを備えている。
【０００４】
このような従来例の携帯端末装置５０では、携帯電話部５１と非接触通信部５５とを備えているので、携帯電話部５１によって通話またはデータ通信を行うことができ、また、非接触通信部５５によって非接触で近距離の通信を行うことができる。
【０００５】
【特許文献１】
特開平６−１６９２６７号公報
【特許文献２】
特開２００２−３５１６２３号公報
【特許文献３】
特開２００２−２４７１５７号公報
【特許文献４】
特開２００１−２２３７８６号公報
【０００６】
【発明が解決しようとする課題】
従来の携帯端末装置において、通話またはデータ通信と非接触通信とを同時に行うと、携帯電話の送信電波と非接触通信の電波とが相互干渉を起こし、通話またはデータ通信が正常できなくなったり、非接触通信が正常にできなくなったりするおそれがある。
【０００７】
そこで、非接触通信を優先させることとし、非接触通信が行われている間は、通話またはデータ通信を行わないように機能制限することが考えられる。
【０００８】
例えば、図３に示した従来例の携帯端末装置５０において、非接触通信制御部５８内の受信検出部５８１は、非接触通信信号を検出したときはその旨を携帯電話制御部５４へ通知する。携帯電話制御部５４内の受信制御部５４１及び送信制御部５４２は、受信検出部５８１からの通知に基づいて非接触通信信号が検出されている間は、通話またはデータ通信を行わないように無線部５３内の受信部５３１及び送信部５３２の動作を制御する。また、携帯電話制御部５４側から非接触通信の開始要求を非接触通信制御部５８内の起動制御部５８２に供給した場合には、通話またはデータ通信を行わないように無線部５３内の受信部５３１及び送信部５３２の動作を制御する。
【０００９】
しかしながら、上記のように非接触通信を行っている間は通話またはデータ通信を行わないように携帯電話側の機能を制限すると、携帯電話等の無線通信と非接触通信の両方に対応可能としたにも関わらず、携帯端末装置の利便性が損なわれてしまう。
【００１０】
本発明は、上記事情に鑑みてなされたもので、携帯電話等の無線通信と非接触通信とを同時に行えるようにした携帯端末装置を提供することを目的とする。
【００１１】
【課題を解決するための手段】
本発明の携帯端末装置は、移動体通信を行う移動体通信部と、近距離の非接触通信を行う非接触通信部とを有する携帯端末装置であって、前記非接触通信部により非接触通信を行う際に、前記移動体通信部の送信出力を制御する送信出力制御部を備えるものである。
上記構成により、非接触通信を行う際に移動体通信部の送信出力を制御することによって、例えば送信出力を低下することで移動体通信の送信信号と非接触通信の通信信号との相互干渉を低減できる。これによって、非接触通信と移動体通信による通話やデータ通信等とを同時に行うことが可能となる。
【００１２】
また、上記携帯端末装置であって、前記送信出力制御部は、前記非接触通信部により非接触通信を行う際に前記移動体通信部の送信出力レベルを低減させる送信出力レベル制御部を備えるものを含む。
上記構成により、非接触通信を行う際に移動体通信部の送信出力レベルを低減させることによって、移動体通信の送信信号と非接触通信の通信信号との相互干渉を低減できる。これによって、非接触通信と移動体通信による通話やデータ通信等とを同時に行うことが可能となる。
【００１３】
また、上記携帯端末装置であって、前記送信出力制御部は、前記非接触通信部により非接触通信を行う際に前記移動体通信部の送信を停止させる送信停止制御部を備えるものを含む。
上記構成により、非接触通信を行う際に移動体通信部の送信を停止させることによって、移動体通信の送信信号と非接触通信の通信信号との相互干渉をなくすことができる。これによって、非接触通信と移動体通信による通話やデータ通信等とを同時に行うことが可能となる。この場合、移動体通信部では、送信のみを一時停止させ、受信機能は動作させておくことができる。
【００１４】
【発明の実施の形態】
以下、図面を参照して本発明の実施形態を説明する。
図１は本発明の第１の実施形態に係る携帯端末装置のブロック構成を示す図である。第１の実施形態の携帯端末装置１は、携帯電話の移動体通信システムとＢｌｕｅｔｏｏｔｈやＩＣタグ等の非接触通信システムとに対応したものであり、携帯電話部（移動体通信部の一例である）１１と非接触通信部１５とを備えている。
【００１５】
携帯電話部１１は、携帯電話用アンテナ１２と、受信部１３１及び送信部１３２を含む無線部１３と、受信制御部１４１及び送信制御部１４２を含む携帯電話制御部１４と、図示しない通話部、表示部、操作部等を備えている。送信制御部１４２は、送信出力レベル制御部（送信出力制御部の一例である）１４３を備える。
【００１６】
非接触通信部１５は、非接触通信用アンテナ１６と、インピーダンス整合部１７と、受信検出部１８１及び起動制御部１８２を含む非接触通信制御部１８とを備えている。
【００１７】
上記構成において、他の装置からの非接触通信信号が非接触通信用アンテナ１６で受信され、受信検出部１８１によって非接触通信信号が検出された場合、受信検出部１８１は非接触通信信号を検出した旨を携帯電話制御部１４へ通知する。
【００１８】
このとき、携帯電話制御部１４の送信出力レベル制御部１４３は、携帯電話部１１が通話中またはデータ通信中である場合に、非接触通信信号の検出通知に基づいて非接触通信がなされている期間は、予め設定したレベルだけ送信出力レベルを低下させるように送信部１３２の送信出力レベルを制御する。
【００１９】
また、携帯電話部１１による通話中またはデータ通信中に、携帯電話制御部１４から非接触通信制御部１８の起動制御部１８２に対して非接触通信を開始させる指令を出力した場合、携帯電話制御部１４の送信出力レベル制御部１４３は、予め設定したレベルだけ送信出力レベルを低下させるように送信部１３２の送信出力レベルを制御する。
【００２０】
このように第１の実施形態では、携帯電話部１１による通話またはデータ通信と非接触通信部１５による非接触通信とを同時に行う際に、携帯電話部１１の送信出力レベルを低下させることで、携帯電話部１１の送信電波と非接触通信部１５における非接触通信信号（電波等）との結合度が減少し、その結果として両者の相互干渉を軽減できる。したがって、通話またはデータ通信を継続させながら同時に非接触通信を行うことが可能となる。
【００２１】
図２は本発明の第２の実施形態に係る携帯端末装置のブロック構成を示す図である。第２の実施形態の携帯端末装置２は、第１の実施形態と同様に、携帯電話の移動体通信システムと非接触通信システムとに対応したものであり、携帯電話部２１と非接触通信部２５とを備えている。
【００２２】
携帯電話部２１は、携帯電話用アンテナ２２と、受信部２３１及び送信部２３２を含む無線部２３と、受信制御部２４１及び送信制御部２４２を含む携帯電話制御部２４と、図示しない通話部、表示部、操作部等を備えている。送信制御部２４２は、送信停止制御部（送信出力制御部の一例である）２４３を備える。
【００２３】
非接触通信部２５は、非接触通信用アンテナ２６と、インピーダンス整合部２７と、受信検出部２８１及び起動制御部２８２を含む非接触通信制御部２８とを備えている。
【００２４】
上記構成において、他の装置からの非接触通信信号が非接触通信用アンテナ２６で受信され、受信検出部２８１によって非接触通信信号が検出された場合、受信検出部２８１は非接触通信信号を検出した旨を携帯電話制御部２４へ通知する。
【００２５】
このとき、携帯電話制御部２４の送信停止制御部２４３は、携帯電話部２１が通話中またはデータ通信中である場合に、非接触通信信号の検出通知に基づいて非接触通信がなされている期間は、送信部２３２の送信動作を停止させる。
【００２６】
また、携帯電話部２１による通話中またはデータ通信中に、携帯電話制御部２４から非接触通信制御部２８の起動制御部２８２に対して非接触通信を開始させる指令を出力した場合、携帯電話制御部２４の送信停止制御部２４３は、送信部２３２の送信動作を停止させる。
【００２７】
このように第２の実施形態では、携帯電話部２１による通話またはデータ通信と非接触通信部２５による非接触通信とを同時に行う際に、携帯電話部２１の送信を停止させることで、携帯電話部２１の送信電波と非接触通信部２５における非接触通信信号（電波等）との相互干渉をなくすことができる。この場合、携帯電話部２１の送信のみを停止させるので、携帯電話部２１の受信動作は継続される。よって、通話またはデータ通信を継続させながら同時に非接触通信を行うことが可能となる。
【００２８】
非接触通信を鉄道等の自動改札、コンサート等の入場管理、電子マネーの決済処理等に利用する場合、非接触通信を行う時間は数１００ｍｓ程度である。携帯端末装置の所持者が携帯電話部によって通話またはデータ通信を行っているときに、同時に携帯端末装置を非接触通信の読み出し／書き込み装置等に近接させて非接触通信を行う場合には、携帯電話部から基地局への上り信号データはほとんど存在しない。したがって、携帯電話等の移動体通信の通話またはデータ通信では、通信網等の通信相手との接続が切れない程度の短時間であれば、上り信号の送信を一時的に停止したり送信電力を低減したりしても、通話またはデータ通信が途絶することはなく、非接触通信が終了した以降に、通話またはデータ通信を継続させることができる。
【００２９】
このように、本実施形態の携帯端末装置によれば、携帯電話部による通話またはデータ通信と非接触通信部による非接触通信との双方を実行する場合に、携帯電話部の送信電力の低減や送信停止などの送信出力制御を行うことで、携帯電話部の送信電波と非接触通信の通信信号との相互干渉を低減または無くすことができる。これにより、携帯電話等の移動体通信による通話またはデータ通信と非接触通信とを同時に行うことができるので、利便性が損なわれることもなく、移動体通信と非接触通信の両方に常時対応可能な携帯端末装置を実現できる。
【００３０】
【発明の効果】
以上説明したように本発明によれば、携帯電話等の移動体通信と非接触通信とを同時に行えるようにした携帯端末装置を提供できる。
【図面の簡単な説明】
【図１】本発明の第１の実施形態に係る携帯端末装置のブロック構成を示す図
【図２】本発明の第２の実施形態に係る携帯端末装置のブロック構成を示す図
【図３】従来の携帯端末装置の構成の一例を示す図
【符号の説明】
１、２  携帯端末装置
１１、２１  携帯電話部
１２、２２  携帯電話用アンテナ
１３、２３  無線部
１３１、２３１  受信部
１３２、２３２  送信部
１４、２４  携帯電話制御部
１４１、２４１  受信制御部
１４２、２４２  送信制御部
１４３  送信出力レベル制御部
２４３  送信停止制御部
１５、２５  非接触通信部
１６、２６  非接触通信用アンテナ
１７、２７  インピーダンス整合部
１８、２８  非接触通信制御部
１８１、２８１  受信検出部
１８２、２８２  起動制御部
【図１】
2004282485.tif 000003
【図２】
2004282485.tif 000004
【図３】
2004282485.tif 000005